(57)【特許請求の範囲】
【請求項１】
ボウル部と、該ボウル部の下端に接続されたトラップ部とを有する洋風便器本体を備え、洗浄水により該ボウル部の洗浄を行い、該トラップ部に沿って後方側に該洗浄水を排出する洋風水洗式便器において、
前記ボウル部内に溜水を形成する前記トラップ部の頂端は該ボウル部の後端以前に位置し、該ボウル部の後方には一対の便座取付穴が形成され、該トラップ部の頂端は各該便座取付穴より前方に位置していることを特徴とする洋風水洗式便器。
【請求項２】
トラップ部の後壁はボウル部の後端以前に位置していることを特徴とする請求項１記載の洋風水洗式便器。
【請求項３】
トラップ部は頂端より下流側が前方に屈曲していることを特徴とする請求項１又は２記載の洋風水洗式便器。
【請求項４】
外部より洗浄水を供給する給水管に直結され、バルブの開閉により洗浄水を吐出可能な洗浄装置を備えていることを特徴とする請求項１、２又は３記載の洋風水洗式便器。
【発明の詳細な説明】
【０００１】
【発明が属する技術分野】
本発明は洋風水洗式便器に関する。
【０００２】
【従来の技術】
従来の洋風水洗式便器は、図４に示すように、陶器製の洋風便器本体９１と、この洋風便器本体９１に洗浄水を供給する図示しない洗浄タンク、ディストリビュータ９２等の洗浄装置とを備えている。洋風便器本体９１は、ボウル部９３と、このボウル部９３の上縁の全周に形成され、ボウル部９３に洗浄水を流下可能なリム通水路９４ａを内部にもつリム９４と、ボウル部９３の下端に接続されたトラップ部９５とを有している。トラップ部９５の排出口９５ｃには上下に延在する図示しない排水ソケットが接続され、排水ソケットは床面より突出した図示しない排水管と接続される。
【０００３】
この洋風水洗式便器では、洗浄タンクに貯留した洗浄水がディストリビュータ９２を介してリム通水路９４ａに供給され、そこから洗浄水がボウル部９３に流下される。ボウル部９３を洗浄した洗浄水はトラップ部９５によってサイホン効果を生じ、汚物とともにトラップ部９５に沿って後方側に排出される。
【０００４】
【発明が解決しようとする課題】
しかし、上記従来の洋風水洗式便器では、洋風便器本体９１の小型化の検討がなされておらず、全体として大型化しやすい。このため、近年の住宅等において、省スペースが図られず、比較的大きなスペースを確保できないトイレ室を益々狭小化してしまう。
【０００５】
本発明は、上記従来の実情に鑑みてなされたものであって、小型化を実現した洋風水洗式便器を提供することを解決すべき課題としている。
【０００６】
【課題を解決するための手段】
本発明者は、上記課題解決のため、鋭意検討を行い、ボウル部内に溜水を形成するトラップ部の頂端、トラップ部の後壁及び便座取付穴に着目して本発明を完成するに至った。
【０００７】
すなわち、本発明の洋風水洗式便器は、ボウル部と、該ボウル部の下端に接続されたトラップ部とを有する洋風便器本体を備え、洗浄水により該ボウル部の洗浄を行い、該トラップ部に沿って後方側に該洗浄水を排水する洋風水洗式便器において、
【０００８】
前記ボウル部内に溜水を形成する前記トラップ部の頂端は該ボウル部の後端以前に位置し、該ボウル部の後方には一対の便座取付穴が形成され、該トラップ部の頂端は各該便座取付穴より前方に位置していることを特徴とする。
【０００９】
従来の洋風水洗式便器は、図４に示すように、洋風便器本体９１におけるボウル部９３内に溜水を形成するトラップ部９５の頂端９５ｄがボウル部９３の後端９３ａより後方に必ず位置していた。このため、ボウル部９３とトラップ部９５とによって構成されている洋風便器本体９１の全長は必然的に長くなっている。これに対し、本発明の洋風水洗式便器では、そのトラップ部の頂端がボウル部の後端以前に位置しており、洋風便器本体の全長が短くなる。
【００１０】
したがって、本発明の洋風水洗式便器は全体として小型化される。このため、近年の住宅等においてこの洋風水洗式便器を採用すれば、省スペースを実現できる。このため、比較的大きなスペースを確保できないトイレ室であっても広大感を呈することができる。また、省スペースとなることから、使用者がトイレ室内で動き易くなったり、スペースの他への有効利用を実現することができる。さらに、こうして洋風水洗式便器が小型化することから、製造のための省資源化及び低コストを実現できる。
【００１１】
ここで、トラップ部の頂端はボウル部内に溜水を形成する部分であり、逆Ｕ字形状をなす水路を形成する内底面の最上位置である。このトラップ部の頂端は、トラップ部の排出方向に直交する断面形状により、１点又は水平線として決定される。また、ボウル部の後端は、リムを有しない場合にはボウル部の上方への開口における最も後方側の部分であり、リムを有する場合にはリムとの境界における最も後方側の部分である。このボウル部の後端も１点又は水平線として決定される。
【００１２】
また、本発明の洋風水洗式便器では、トラップ部の後壁がボウル部の後端以前に位置していることが好ましい。つまり、従来の洋風水洗式便器は、図４に示すように、トラップ部９５の後壁９５ｅがボウル部９３の後端９３ａより後方に必ず位置していた。このため、やはり洋風便器本体９１の全長は必然的に長くなっている。これに対し、トラップ部の後壁がボウル部の後端以前に位置している本発明の洋風水洗式便器では、洋風便器本体の全長がさらに短くなる。
【００１３】
通常、洋風水洗式便器では、ボウル部の後方において、便座、暖房機能付き便座、シャワートイレ機能付き便座等を取り付けるための一対の便座取付穴が形成されている。本発明の洋風水洗式便器では、トラップ部の頂端が各便座取付穴より前方に位置している。つまり、従来の洋風水洗式便器は、図４に示すように、トラップ部９５の頂端９５ｄが各便座取付穴９６より後方に必ず位置していた。このため、やはり洋風便器本体９１の全長は必然的に長くなっている。これに対し、トラップ部の頂端が各便座取付穴より前方に位置している本発明の洋風水洗式便器では、洋風便器本体の全長がさらに短くなる。
【００１４】
本発明の洋風水洗式便器では、トラップ部の頂端より下流側は前方に屈曲していることが好ましい。洋風便器本体の全長が短くなれば、少なくともトラップ部を隠蔽する台座部も小さくされ得る。こうして台座部を小さくすれば、トラップ部の排出口が台座部内の後方側の壁面に近づきやすく、排水ソケットと好適に接続できないおそれがある。この点、トラップ部の頂端より下流側を前方に屈曲させれば、例え台座部を小さくしても、その排出口が台座部内の後方側の壁面から離れ、排水ソケットと好適に接続できる。
【００１５】
洗浄装置としては、従来公知の洗浄タンク等の他、外部より洗浄水を供給する水道管等の給水管に直結され、バルブの開閉により洗浄水を吐出可能なものを採用することができる。後者の洗浄装置を採用する場合に本発明の効果が大きい。前者の洗浄装置は、洗浄水を一旦貯留して吐出するものであり、相当の容積が必要となる。このため、狭いトイレ室の広大化を図るために本発明に係る洋風便器本体を採用しつつ、相当の容積を要する前者の洗浄装置を採用するのであれば、本発明の効果が縮減されてしまう。この点、後者の洗浄装置を採用すれば、従来の洗浄タンクを必要としないので、狭いトイレ室の広大化を図るという本発明の効果を際立たせることができる。
【００１６】
【発明の実施の形態】
以下、本発明を具体化した実施形態１〜３を図面を参照しつつ説明する。
（実施形態１）
【００１７】
実施形態１の洋風水洗式便器では、図１に示すように、陶器製の洋風便器本体１１と、外部より洗浄水を供給する図示しない給水管に直結され、図示しないバルブの開閉により洗浄水を吐出させてこの洋風便器本体１１に洗浄水を供給する洗浄装置１２とを備えている。
【００１８】
洋風便器本体１１は、ボウル部１３と、このボウル部１３の上縁の全周に形成され、ボウル部１３に洗浄水を流下可能なリム通水路１４ａを内部にもつリム１４と、ボウル部１３の下端に接続されたトラップ部１５とを有している。
【００１９】
リム通水路１４ａの後方には洗浄装置１２とリム用配管２０が設けられている。また、トラップ部１５は頂端１５ｄによりボウル部１３内に溜水を形成する溜水部１５ａを有している。ここで、トラップ部１５の頂端１５ｄは排出方向に直行する断面形状により１点又は水平線として決定される。溜水部１５ａの底にはノズル口１５ｂが貫設され、ノズル口１５ｂには洗浄装置１２とジェット用配管１８により繋がるジェットノズル１９が設けられている。ジェットノズル１９のジェット口１９ａは頂端１５ｄを指向している。
【００２０】
また、ボウル部１３とリム１４との境界における最も後方側の部分にボウル部１３の後端１３ａが位置している。さらに、ボウル部１３とリム１４との後方には、図示しない便座、暖房機能付き便座、シャワートイレ機能付き便座等を取り付けるための一対の便座取付穴１６が形成されている。この洋風水洗式便器では、頂端１５ｄが各便座取付穴１６より前方に位置し、さらにボウル部１３の後端１３ａよりも前方に位置している。
【００２１】
なお、トラップ部１５の頂端１５ｄより下流側の排出口１５ｃには上下に延在する排水ソケット１７が接続され、排水ソケット１７は床面より突出した図示しない排水管と接続される。
【００２２】
以上のように構成された洋風水洗式便器では、洗浄水が洗浄装置１２からリム用配管２０を介してリム通水路１４ａに供給され、そこからボウル部１３に流下される。また、洗浄水が洗浄装置１２からジェット用配管１８及びジェットノズル１９を介してジェット口１９ａより噴出され、トラップ部１５に強制的にサイホン効果を生じさせる。これにより、洗浄水は汚物とともにトラップ部１５に沿って後方側に排出され、排出口１５ｃから排水ソケット１７を介して排水管に排出される。
【００２３】
こうして、この洋風水洗式便器では、頂端１５ｄが各便座取付穴１６より前方に位置し、さらにボウル部１３の後端１３ａより前方に位置しているため、洋風便器本体１１の全長が短くなっている。また、この洋風水洗式便器では、洗浄水を一旦貯留する洗浄タンクを有しないので、さらに洋風便器本体１１の全長が短くなっている。
【００２４】
したがって、この洋風水洗式便器では、全体として小型化されるため、トイレ室の省スペースを実現でき、比較的大きなスペースを確保できないトイレ室であっても広大感を呈することができる。また、この洋風水洗式便器では、使用者がトイレ室内で動き易くなったり、スペースの他への有効利用が可能となる。さらに、こうして洋風水洗式便器が小型化することから、製造のための省資源化及び低コストを実現できる。
【００２５】
（実施形態２）
実施形態２の洋風水洗式便器では、図２に示すように、トラップ部１５の後壁１５ｅがボウル部１３の後端１３ａと鉛直方向で等しい位置にある。これにより、頂端１５ｄは各便座取付穴１６より前方に位置し、さらにボウル部１３の後端１３ａより前方に位置している。他の構成は実施形態１と同様である。
【００２６】
かかる洋風水洗式便器においては、洋風便器本体１１の全長がさらに短くなっているため、さらに本発明の効果を奏することができる。他の作用効果は実施形態１と同様である。
【００２７】
なお、トラップ部１５の後壁１５ｅをボウル部１３の後端１３ａより前方に位置させれば、さらに本発明の効果を際立たせることができる。
【００２８】
（実施形態３）
実施形態３の洋風水洗式便器では、図３に示すように、トラップ部１５が頂端１５ｄより下流側１５ｆで前方に屈曲している。他の構成は実施形態１と同様である。
【００２９】
かかる洋風水洗式便器においては、洋風便器本体１１の小型化のためにトラップ部１９を隠蔽する台座部２１を小さくしても、排出口１５ｃが台座部２１内の後方側の壁面から離れ、排水ソケット１７と好適に接続できる。他の作用効果は実施形態１と同様である。
【図面の簡単な説明】
【図１】実施形態１に係る洋風水洗式便器の縦断面図である。
【図２】実施形態２に係る洋風水洗式便器の縦断面図である。
【図３】実施形態３に係る洋風水洗式便器の縦断面図である。
【図４】従来の洋風水洗式便器の縦断面図である。
【符号の説明】
１３…ボウル部
１５…トラップ部
１１…洋風便器本体
１５ｄ…頂端
１３ａ…後端
１５ｅ…後壁
１６…便座取付穴
１５ｆ…下流側
１２…洗浄装置
【図１】
0003761765.tif 000002
【図２】
0003761765.tif 000003
【図３】
0003761765.tif 000004
【図４】
0003761765.tif 000005